(57)【要約】蠕動ポンプ２は、ハブ１８を有するハウジング１０、ハウジング１０内に配置されて、ハブ１８によって回転可能に支持されるローター１２であって、ローター１２は、ハブ１８を通って延びる駆動軸１６を備え、駆動軸１６は、駆動接続を形成するために駆動装置４の出力軸８と係合するように構成される、ローター１２、を含む。ローター１２とハブ１８との間に第１のずれピボット３２が形成され、駆動軸１６と駆動装置４の出力軸８との間に第２のずれピボット３４が形成される。【選択図】図１
2017538893.tif 000002
【特許請求の範囲】
【請求項１】
蠕動ポンプであって、
ハブを有するハウジング、
前記ハウジング内に配置されて、前記ハブによって回転可能に支持されるローターであって、前記ローターは、前記ハブを通って延びる駆動軸を備え、前記駆動軸は、駆動接続を形成するために駆動装置の出力軸と係合するように構成される、ローター、
を含み、
前記ローターと前記ハブとの間に第１のずれピボットが形成され、前記駆動軸と前記駆動装置の前記出力軸との間に第２のずれピボットが形成される、
蠕動ポンプ。
【請求項２】
前記ローターを回転可能に支持するために単一の軸方向位置において前記ローターと前記ハブとの間にベアリングが配置され、前記ベアリングは、前記第１のずれピボットを形成する、請求項１に記載の蠕動ポンプ。
【請求項３】
前記ベアリングは、単一の軸受けユニットを備える、請求項２に記載の蠕動ポンプ。
【請求項４】
前記軸受けユニットは、前記駆動軸の外面と前記ハブの内面との間に設けられる、請求項３に記載の蠕動ポンプ。
【請求項５】
前記駆動軸は、前記駆動装置の前記出力軸を受け入れるための雌型の受け入れ部を備え、前記第２のずれピボットは、前記雌型の受け入れ部によって形成される、請求項１〜４のいずれか１項に記載の蠕動ポンプ。
【請求項６】
前記駆動装置の前記出力軸を受け入れて前記出力軸と係合するように構成されるスリーブをさらに含み、前記スリーブは、前記駆動接続を形成するために前記雌型の受け入れ部と係合する、請求項５に記載の蠕動ポンプ。
【請求項７】
前記駆動軸は、前記駆動装置の前記出力軸によって受け入れられるように構成される雄型部分を備え、前記第２のずれピボットは、前記雄型部分によって形成される、請求項１〜４のいずれか１項に記載の蠕動ポンプ。
【請求項８】
前記駆動接続は、補完的なインターロック的特徴を備える、請求項１〜７のいずれか１項に記載の蠕動ポンプ。
【請求項９】
前記補完的なインターロック的特徴は、スプラインまたは多角形の特徴を含む、請求項８に記載の蠕動ポンプ。
【請求項１０】
前記駆動装置をさらに含む、請求項１〜９のいずれか１項に記載の蠕動ポンプ。
【請求項１１】
前記駆動装置は、モーターおよびギアボックスを備え、前記出力軸は、前記ギアボックスから延びる、請求項１０に記載の蠕動ポンプ。
【請求項１２】
前記ギアボックスは、ヘリカル・ギアボックスである、請求項１１に記載の蠕動ポンプ。
【請求項１３】
添付図面を参照してそれに示されるように本明細書において実質的に記載されている蠕動ポンプ。
【発明の詳細な説明】
【技術分野】
【０００１】
本発明は、蠕動ポンプに関する。
【背景技術】
【０００２】
蠕動ポンプは、一般に、ポンプヘッド内に収容されるローターを駆動するために、ギアボックスを介して接続される駆動モーターを備える。ローターは、可撓性チューブとの係合のための一対のシューズまたは他の手段を担持する。ローターが回転するにつれて、シューズは、チューブ内の閉塞を形成するために可撓性チューブを変形させる。閉塞がチューブの長さに沿って移動するにつれて、チューブ内の流体は一端から他端まで押し進められる。
【０００３】
従来のポンプは、一般に、長い結合ポンプまたは近い結合ポンプとして分類されることができる。
【０００４】
長い結合ポンプでは、駆動装置は、カップリングを介してポンプヘッドに結合される。駆動装置とポンプヘッドとの間のいかなるずれ（角度および位置）も、カップリングを介して修正されることができる。しかしながら、このプロセスは、時間がかかり、そしてこのように高コストである。結合自体も高価である。
【０００５】
近い結合ポンプで、ローターは、駆動装置に直接接続して、これにより、結合および付随する整列プロセスの必要性を除去する。しかしながら、この種の設計では、駆動装置はそれ自体が、チューブを圧縮しながら、ローター上に作用する大きい力を処理しなければならない。
【０００６】
近い結合ポンプと関連した課題を回避するために、出願人は、ポンプヘッドが駆動装置に直接接続して、そしてローターがそれ自身のハブによって支持され、これにより、ローター上に作用する力から駆動装置を分離して保護した直接結合ポンプを発明した（特許文献１参照）。これは、駆動装置がより小さいそしてより高価でないギアボックスを使用することを可能にする。しかしながら、この種の直接結合ポンプで、ローターの方向は、ハブに関して固定される。そしてそれは、製造公差から結果として生じる場合があるコンポーネント間のいかなる角度ずれも許容しない。
【先行技術文献】
【特許文献】
【０００７】
【特許文献１】欧州特許第０８８１３８９号
【発明の概要】
【発明が解決しようとする課題】
【０００８】
したがって、従来の直接駆動ポンプの課題に対処して、ずれ（ｍｉｓａｌｉｇｎｍｅｎｔ）のより大きな許容度を提供するポンプを提供することは、望ましい。
【課題を解決するための手段】
【０００９】
本発明の態様によれば、蠕動ポンプであって、ハブを有するハウジング、ハウジング内に配置されて、ハブによって回転可能に支持されるローターであって、ローターは、ハブを通って延びる駆動軸を備え、駆動軸は、駆動接続を形成するために駆動装置の出力軸と係合するように構成される、ローター、を含み、ローターとハブとの間に第１のずれピボットが形成され、駆動軸と駆動装置の出力軸との間に第２のずれピボットが形成される、蠕動ポンプが提供される。
【００１０】
ローターを回転可能に支持するために単一の軸方向位置（ａｘｉａｌ  ｐｏｓｉｔｉｏｎ）においてローターとハブとの間にベアリングが配置されてよく、ベアリングは、第１のずれピボットを形成する。
【００１１】
ベアリングは、単一の軸受けユニットを備えてよい。
【００１２】
軸受けユニットは、駆動軸の外面とハブの内面との間に設けられてよい。
【００１３】
駆動軸は、駆動装置の出力軸を受け入れるための雌型の受け入れ部を備えてよく、第２のずれピボットは、雌型の受け入れ部によって形成される。
【００１４】
駆動装置の出力軸を受け入れて出力軸と係合するように構成されるスリーブをさらに含んでよく、スリーブは、駆動接続を形成するために雌型の受け入れ部と係合する。
【００１５】
駆動軸は、駆動装置の出力軸によって受け入れられるように構成される雄型部分を備えてよく、第２のずれピボットは、雄型部分によって形成される。
【００１６】
駆動接続は、補完的なインターロック的特徴を備えてよい。
【００１７】
補完的なインターロック的特徴は、スプラインまたは多角形の特徴を含んでよい。
【００１８】
蠕動ポンプは、駆動装置をさらに含んでよい。
【００１９】
駆動装置は、モーターおよびギアボックスを備えてよく、出力軸は、ギアボックスから延びる。
【００２０】
ギアボックスは、ヘリカル・ギアボックスであってよい。ヘリカル・ギアボックスは、キーのついた出力軸を有してよい。
【００２１】
本発明のより良好な理解のために、そしてそれがどのようにして効果をもたらされてよいかをより明らかに示すために、ここで、例として、添付図面が参照される。
【図面の簡単な説明】
【００２２】
【図１】図１は、本発明の一実施形態による蠕動ポンプの断面図である。
【図２】図２は、蠕動ポンプのローターと駆動装置との間の相互接続の拡大図である。
【図３】図３は、本発明の別の実施形態による蠕動ポンプの断面図である。
【発明を実施するための形態】
【００２３】
図１および図２は、本発明の一実施形態による蠕動ポンプ２を示す。蠕動ポンプ２は、駆動装置４およびポンプヘッド６を備える。駆動装置４は、ギアボックス（例えばヘリカル・ギアボックス）の出力軸８を介して駆動を提供するモーターを備える。
【００２４】
ポンプヘッド６は、駆動装置４に固定されるハウジング１０を備える。ローター１２は、ハウジング１０の内部に配置される。ローター１２は、外リム１４を備える。外リム１４は、ローター１２の外リム１４とハウジング１０の外壁（図示せず）との間に配置される可撓性のチューブまたはホース（図示せず）との係合のための一対のシューズ（図示せず）を有する。ローター１２が回転するにつれて、チューブ内の閉塞を形成するために、シューズは可撓性チューブを変形させる。閉塞がチューブの長さに沿って移動するにつれて、チューブ内の流体は一端から他端まで押し進められる。シューズとチューブとの間に摩擦を減らして、このように摩損を減らすために、潤滑流体は、ハウジングの内部に設けられてよい。したがって、ハウジング１０は、潤滑流体の漏洩を防止するためにシールされたユニットを形成してよい。
【００２５】
駆動軸１６は、ローター１２の中心から延びる。駆動軸１６は、ハウジング１０のハブ１８の内部に受け入れられる。ハブ１８は、中空の円筒形状を有し、そして、その中心に位置する駆動装置４の出力軸８とともに駆動装置４から突出する。ローター１２は、ハウジング１０のハブ１８を介して、駆動装置４に回転可能に取り付けられる。具体的には、単一の（すなわち１つだけの）軸受けユニット２０は、駆動軸１６の外面とハブ１８の内面との間に配置される。軸受けユニット２０は、従来の回転要素軸受け（例えばボールベアリングまたはローラーベアリング）でもよい。さらに後述するように、角度ずれを許容するために球面ローラーベアリングを利用することは、役立ってもよい。軸受けユニット２０は、ローター１２がハウジング１０に対して回転することをこのように許容する。
【００２６】
軸受けユニット２０は、駆動軸１６の遠位端を通じて受け入れられて、駆動軸１６上に形成される肩部２２に対して当接する。軸受けユニット２０は、駆動軸１６の周長の周りに形成される溝内に位置するサークリップ２４（またはスナップリング）によって、駆動軸１６上に保持される。駆動軸１６に沿った軸受けユニット２０の軸方向位置は、肩部２２およびサークリップ２４によってこのように固定される。
【００２７】
駆動軸１６は、中空であり、そして、スプラインのついた雌型の受け入れ部２６を備える。コンバータ・スリーブ２８は、駆動装置４の出力軸８に取り付けられる。コンバータ・スリーブ２８は、キー溝を備える内面を有する。そして、キー溝は、出力軸８の長さに沿って延びるキーシート内に受け入れられるキー３０と係合する。キー３０は、コンバータ・スリーブ２８と出力軸８との間の相対的な回転を防止するように、コンバータ・スリーブ２８を出力軸８に対してこのように接続する。コンバータ・スリーブ２８の外面は、雌型の受け入れ部２６のスプラインに対応するスプラインを備える。コンバータ・スリーブ２８は、したがって、駆動軸１６の雌型の受け入れ部２６によって受け入れられて、出力軸８からローター１２までトルクを伝達する。
【００２８】
コンバータ・スリーブ２８上に設けられるスプラインは、雌型の受け入れ部２６のスプラインに比べて長さがより短くてもよい。その結果、コンバータ・スリーブ２８のスプラインは、雌型の受け入れ部２６のスプラインと関連して並進することができてもよい。それにより、出力軸８に対する駆動軸１６の軸方向位置は、変化することができる。
【００２９】
軸受けユニット２０は、ローター１２とハウジング１０との間に、第１のずれピボット（ライン３２によって示される）を形成する。第１のずれピボットは、駆動軸１６とハブ１８との間に少量の角度ずれ（すなわち、駆動軸１６の回転軸が、ハブ１８によって定義される軸方向に対して角度付けされる）を許容する。
【００３０】
同様に、コンバータ・スリーブ２８および雌型の受け入れ部２６によって形成されるスプラインのついた駆動接続は、ローター１２と駆動装置４との間に、第２のずれピボット（ライン３４によって示される）を形成する。第２のずれピボットは、駆動軸１６と出力軸８との間に少量の角度ずれ（すなわち、駆動軸１６の回転軸が、出力軸８の回転軸に対して角度付けされる）を許容する。
【００３１】
第１および第２のずれピボットは、駆動装置４とポンプヘッド６との間に、通常の製造公差から結果として生じる場合があるずれをこのように許容する。
【００３２】
図３は、本発明の別の実施形態を示す。この実施形態は、シール３６が軸受けユニット２０の外部（ｏｕｔｂｏａｒｄ）に設けられるという点だけ、以前に記載されたる実施形態と異なる。シール３６は、潤滑流体（および、チューブが故障する場合にはポンプ流体）がポンプヘッド６から漏洩できないことを確実にする。したがって、駆動装置４は、ポンプヘッド６から完全に分離されて、このようにポンプヘッド６から保護される。シール３６は、代わりにまたは加えて、軸受けユニット２０の内部（ｉｎｂｏａｒｄ）に設けられることができる。
【００３３】
上記の実施形態では、コンバータ・スリーブ２８は、駆動軸１６の雌型の受け入れ部２６とかみ合うために、出力軸８の形状を適切な形状に変換する。したがって、異なる駆動装置の出力軸をポンプヘッド６のための適切な形状に変換するために、複数のコンバータ・スリーブが設けられてよい。コンバータ・スリーブは、ポンプヘッド６がさまざまな異なる駆動装置によって駆動されることをこのように許容する。出力軸８の形状が雌型の受け入れ部２６の形状に対応するときでも、コンバータ・スリーブ２８が単にサイズ変換のために使用されてよいことはいうまでもない。
【００３４】
さらに、駆動接続は、コンバータ・スリーブ２８を使用することなく、出力軸８と駆動軸１６との間に直接形成されてもよい。駆動接続はまた、スプラインをつける必要がなく、そして、他のいかなる適切な補完的な特徴（例えば多角形の特徴）によって形成されてもよい。
【００３５】
ハブ１８がポンプヘッドハウジング１０の一部であると述べられたにもかかわらず、それは、代わりに駆動装置４自体によって形成されてもよい。
【００３６】
本発明が単一の軸受けユニット２０を使用すると述べられたにもかかわらず、ずれピボットを形成するためにそれらが単一の軸方向位置に整列配置される（すなわちそれらが同心的である）限り、付加的な軸受けユニットが使用されてよいことはいうまでもない。例えば、付加的な軸受けユニットは、ハブ１８の外面とローター１２の一部の内面との間に配置されてよい。付加的な軸受けユニットがライン３２に沿って配置されるならば、ローター１２は、ハブ１８と関連して枢支することがまだ許容される。
【００３７】
単一の軸受けユニットだけが使用されるところで、これは、ハブ１８の外面とローター１２の一部の内面との間に代わりに配置されてよい。
【００３８】
ローター１２の駆動軸１６は、その全ての長さに沿って中空である必要はない。（すなわちそれは、部分的に中空であるだけでもよい）実際、他の実施形態では、駆動軸１６は、駆動装置４（または中間のコンバータ・スリーブ）の雌型の受け入れ部によって受け入れられる雄型部分を形成してもよい。
【００３９】
本発明は、本明細書において記載された実施形態に限定されなくて、本発明の要旨を逸脱しない範囲で修正されてよくまたは適合されてよい。
【図１】
2017538893.tif 000003
【図２】
2017538893.tif 000004
【図３】
2017538893.tif 000005
【国際調査報告】
2017538893.tif 000006
2017538893.tif 000007